(57)【特許請求の範囲】
【請求項１】
折りのある印刷物用データを表示手段を利用してコンピュータ処理により作成する印刷物用データの作成方法において、
台紙上に折本が正しいページ順になるように個別ページパターンを割り付ける順番を規定するとともに、前記台紙上におけるトンボ等の面付け用データを規定する面付けパターン様式データを作成または選択する工程と、
作成または選択した面付けパターン様式データを、作成しようとする印刷物に対応するノンブルに対して割り付ける工程と、
電子集版処理により個別ページデータを作成するととともに、作成した個別ページデータを前記ノンブルに対して割り付ける工程とを有し、
前記ノンブルに対して個別ページデータを割り付ける工程では、選択した複数の個別ページデータを予め定めた順序に並べ替える処理を行った後、前記ノンブルに対して、前記並べ替えられた個別ページデータを割り付けるようにしたことを特徴とする印刷物用データの作成方法。
【発明の詳細な説明】
【０００１】
【発明の属する技術分野】
この発明は、例えば、個々の原稿画像から中間材料（台紙や、その台紙であるレイアウト用紙上に貼られる線画フイルム等）を用いずに集版済み分解版（最終的なフイルム）を、画像を表示するディスプレイを利用してコンピュータ処理により作成する電子集版装置に適用して好適な印刷物用データの作成方法に関する。
【０００２】
【従来の技術】
従来から、コンピュータに画像記録用の磁気ディスク、画像表示処理用のカラーモニタおよび原稿画像の入力と分解版出力のためのスキャナを接続した構成の電子集版装置が印刷物用データの作成装置として利用に供されている。
【０００３】
図８は、この種の電子集版装置により印刷物用データを作成する際の従来の技術に係る概略的なフロー（実際上は、コンピュータによりソフトウエアを介在して行われるので、面付けアプリケーションともいう。）を示している。
【０００４】
まず、面付けパターンの属性を設定する（ステップＳ１）。面付けパターンの属性には、図９に示すような２面付け（２ページ面付け）パターン、図１０に示すような４面付け（４ページ面付け）パターン等がある。面付けパターンの属性が設定されることにより、最終的に作成される印刷物の印刷面の表裏の個別ページの配列の構成が確定される。
【０００５】
次に、ステップＳ２の処理を行うのであるが、このステップＳ２以下の処理の理解を容易にするために、ステップＳ２以降の説明の前に、集版処理に関わる基本的な用語について説明するとともに、印刷物、例えば、本の完成までの概略的な工程を説明する。
【０００６】
図９の左側には、最終的な印刷物の印刷面の表面となる台ページ（符号をＡとする。）を描いている。この台ページＡの左側半面には、印刷物を折り線ｆｄに沿って折ったときの折本が正しいページ順になるように、４ページ目の集版情報、すなわち個別ページデータが配置され、右側半面には１ページ目の集版情報が配置される。台ページＡを構成する全ページに個別ページデータが配置された場合、台ページＡが面付けされたという。
【０００７】
また、図９の右側には、印刷面の裏面となる台ページ（符号をＢとする。）を描いている。この台ページＢの左側半面には２ページ目の集版情報、右側半面には３ページ目の集版情報が配置されている。台ページＢを構成する全ページに集版情報（上述のように個別ページデータ）が配置された場合、台ページＢが面付けされたという。
【０００８】
面付けされた台ページＡと台ページＢとをあわせて面付けパターン（符号をＸとする。）という。なお、面付けパターンＸを構成する台ページＡと台ページＢに対して、それぞれ、製版仕上げサイズデータ、トンボの位置データ、個別ページの位置・回転データ、ノンブル（第１ページから最終ページまでの一連のページ番号）データ等のパラメータ（面付け用データともいう。）を加えて面付けパターンデータ（符号をＸｄとする。）が作成される。
【０００９】
面付けパターンデータＸｄを構成する面付けされた台ページＡと面付けされた台ページＢにそれぞれ対応する表裏面用のフイルム（カラーの場合には、例えば、Ｃ、Ｍ、Ｙ、Ｋの各版用のフイルム）がフイルムプリンタで作成され、そのフイルムに基づいて刷版が作成され、その刷版により輪転機を用いて本紙の表裏面に印刷が行われた印刷物（印刷紙）が作成される。
【００１０】
作成された印刷部を、例えば、台ページＡ側から見て折り線ｆｄ（図９参照）に沿って山折りすることで、左開きで第１ページ目から第４ページ目までページが連続した本が完成する。なお、この明細書中で、用語「本」は、いわゆる書籍のみを意味するのではなく、折り畳まれるパンフレット等、使用に際して、折り工程の入る全ての印刷物を意味するものとする。
【００１１】
一方、図１０に示す集版情報が配置された台ページＡ′、Ｂ′から構成される４面付けパターンＸに係る面付けパターンデータＸｄ′を用いた場合には、詳しくは説明しないが、輪転機により作成された印刷物に対して折りと切断を施した後、丁合して綴じることで、右開きで第１ページ目から第８ページ目までページが連続した本、すなわち印刷物が完成する。
【００１２】
なお、面付けパターンデータＸｄ′中、個別ページの位置・回転データとは、例えば、その図１０において、第４ページ目の個別ページデータが左下の位置に配置され、かつ１８０度回転して配置されることを意味するデータである。
【００１３】
次に、ステップＳ２以降の処理について説明する。なお、ステップＳ１の処理において、この例では、図９に示した２面付けパターンＸが選択されたものとする。この選択時点では、個別ページの集版情報がまだ面付けされていない。
【００１４】
ステップＳ２の処理では、面付けパターンの数（かず）の設定がなされる。この設定は、面付けパターンの数の計算であるので、作成しようとする印刷部である本の総ノンブル数を、すなわち、本の全体ページを、設定した面付けパターンＸに割り付けられている個別ページの数ｎでわり算した商になる。この例では、総ノンブル数が８ページであって、面付けパターンの数ＲがＲ＝総ノンブル数／個別ページの数＝８／４＝２に設定されたものとする。したがって、この例では、印刷物用データ（本用データ）として、第１および第２の面付けパターンデータ（第１番目の折り、第２番目の折りともいわれ、折りの数が２となる。）が必要となる。
【００１５】
次に、面付けパターンＸの数Ｒだけの面付けパターンデータが完成したかどうかが確認される（ステップＳ３）。完成していない場合（ステップＳ３の判定が否定的である場合）には、面付けパターンＸの作成処理に進む。
【００１６】
そこで、第１の面付けパターンＸ１を構成する個別ページの数ｎ（ｎ＝４）だけの個別ページデータの作成、すなわち集版が済んでいるかどうかが確認される（ステップＳ４）。
【００１７】
集版が済んでいない場合（ステップＳ４の判定が否定的である場合）には、個別ページ名を、例えば、「ｇｕａｍ１−１」と入力して（ステップＳ５）、その個別ページ名ｇｕａｍ１−１の電子集版作業を行い、集版終了後に、この個別ページ名ｇｕａｍ１−１をノンブル１（ノンブル１は作成しようとする本の第１ページのノンブルを意味するものとする。）と組み合わせる。
【００１８】
同様に、ステップＳ４〜ステップＳ７を個別ページの数ｎの値がｎ＝４になるまで、個別ページ名ｇｕａｍ１−２→ノンブル２、個別ページ名ｇｕａｍ１−３→ノンブル３、個別ページ名ｇｕａｍ２−１→ノンブル４と繰り返して行い、その後、台ページ毎のトンボの種類、トンボの位置等の上述したパラメータ（面付け用データ）の入力を行う（ステップＳ８）ことで、図１１の上側に示すような第１の面付けパターンデータＸ１が完成する。
【００１９】
次に、ステップＳ３にもどり、第２の面付けパターンデータＸ２の作成処理に進む。そして、再び、ステップＳ４〜ステップＳ８の処理により、図１１の下側に示すような第２の面付けパターンデータＸ２が完成する。
【００２０】
これにより、ステップＳ３の判定が成立し、その図１１の全体に示すノンブル１からノンブル８までの本用データ（印刷物用データ）が完成する。
【００２１】
【発明が解決しようとする課題】
このように従来技術に係る印刷物用データの作成方法では、面付けパターンデータを作成する工程（ステップＳ３とステップＳ８）と、個別ページデータを割り付ける工程（ステップＳ４〜ステップＳ７）とが密接不可分の構成とされていた。
【００２２】
このため、折り（面付けパターン）の数の多い本（出版物）を作成する場合、各折り毎にパラメータ、すなわち面付け用データの入力作業が必須の作業とされ、これが、非常に繁雑な作業となっていた。
【００２３】
また、作成された印刷物用データは、図１１から理解されるように、いわゆるツリー構成のデータであり、各データ、例えば、個別ページデータを分解して使用することの不便なデータの構成となっていたために、作成した面付けパターンを他の印刷物用データとして流用することがほとんど不可能であるという問題があった。
【００２４】
このように上記従来の技術では、データ入力作業が繁雑であり、かつ作成されたデータの、いわゆるフレキシビリティが低い（応用性、利用性、流用性が低い）ので、トータルとしての作業効率が低くならざるを得ないという問題があった。
【００２５】
この発明はこのような課題を考慮してなされたものであり、データの作成作業が簡易となり、しかもデータの利用性（流用性）が高い印刷物用データの作成方法を提供することを目的とする。
【００２６】
【課題を解決するための手段】
この発明は、例えば、図３に示すように、
折りのある印刷物用データを表示手段を利用してコンピュータ処理により作成する印刷物用データの作成方法において、
台紙上に折本が正しいページ順になるように個別ページパターンを割り付ける順番を規定するとともに、前記台紙上におけるトンボ等の面付け用データを規定する面付けパターン様式データを作成または選択する工程Ｓ３２と、
作成または選択した面付けパターン様式データを、作成しようとする印刷物に対応するノンブルに対して割り付ける工程Ｓ３３と、
電子集版処理により個別ページデータを作成するととともに、作成した個別ページデータを前記ノンブルに対して割り付ける工程Ｓ２２、Ｓ２３とを有し、
前記ノンブルに対して個別ページデータを割り付ける工程では、選択した複数の個別ページデータを予め定めた順序に並べ替える処理を行った後、前記ノンブルに対して、前記並べ替えられた個別ページデータを割り付けるようにしたことを特徴とする。
【００２７】
この発明によれば、面付けパターン様式データの作成等の工程と個別ページデータの作成工程とを相互に独立した工程としているので、それぞれのデータを個別に、例えば、他の折りまたは別の本でも容易に利用することができる。この場合、面付けパターン様式データにトンボ等の面付け用データが含まれるようにしているので、２回目以降の面付けパターンの作成作業においては、面付け用データを入力する必要がなくなり、データの入力作業が簡易になる。
【００２９】
また、個別ページデータと面付けパターンデータとが密接に結びついていないので、個別ページデータの配列順番を複数の個別ページデータを選択するだけで、容易に自動的に並べ替えることができる。
【００３０】
【発明の実施の形態】
以下、この発明の一実施の形態について図面を参照して説明する。なお、以下に参照する図面において、上記図８〜図１１に示したものと対応するものには同一の符号を付けてその詳細な説明は省略する。また、繁雑さを避けるために、必要に応じて、上記図８〜図１１の図面も参照して説明する。
【００３１】
図１は、この発明方法が適用される特願平６−２３６０２５号明細書で本出願人が提案した電子集版装置の構成を示している。
【００３２】
図１に示す電子集版装置１１は、電子集版装置本体としてのコンピュータからなるワークステーション１２を有している。ワークステーション１２には、比較的低画質ではあるが簡易に低コストの印刷の行えるゲラ印刷（校正刷り）用のゲラプリンタ１３が接続されている。
【００３３】
また、ワークステーション１２には、台紙入力機１４とカラースキャナ１５とフイルムプリンタ１６が接続されている。
【００３４】
台紙入力機１４は、印刷用の台紙を読み取り、その台紙データをワークステーション１２に供給する。カラースキャナ１５は、原稿から、絵柄、文字、図形等のモノクロ画像またはカラー画像を読み取り、色分解後の画像データをワークステーション１２に供給する。台紙データ、画像データはワークステーション１２を構成するハードディスク（後述する）等の記憶媒体の所定の記憶エリアに記憶される。
【００３５】
ワークステーション１２は、供給された台紙データに基づく台紙の画像をディスプレイ３５上に表示し、その表示画面上で前記画像データに基づく画像を電子的に集版して面付けパターンを作成する。集版後の面付けパターンを表すデータ（面付けパターンデータ）はフイルムプリンタ１６に供給される。フイルムプリンタ１６は、その面付けパターンデータに対応した高画質の印刷用フイルムを出力する。
【００３６】
図２は、ワークステーション１２の詳細な構成を示している。ワークステーション１２は、制御手段・処理手段等として機能するＣＰＵ（中央処理装置）２１を有し、このＣＰＵ２１には、それぞれ記憶手段であり、システムプログラム等が記憶されたＲＯＭ（読み出し専用メモリ）２２、ワーク用として使用されるＲＡＭ（ランダムアクセスメモリ）２３、面付けアプリケーションプログラムや面付けパターンデータ、画像データ等の種々のデータが記憶されるＨＤ（ハードディスク）２４が接続されている。
【００３７】
また、ＣＰＵ２１には、それぞれがデータ入力手段やポインティングデバイスとして機能するマウス３１、キーボード３２およびタブレット３３等が接続されている。さらに、ＣＰＵ２１には、画像表示手段としてのモニタ機能を有するＣＲＴ等のディスプレイ３５が接続されている。
【００３８】
前記したゲラプリンタ１３、台紙入力機１４、カラースキャナ１５およびフイルムプリンタ１６は、適宜の通信インタフェース３６を介して接続されている。なお、ワークステーション１２には、図示しない編集用のワークステーションをイーサネット（Ｅｔｈｅｒｎｅｔ）等の通信インタフェースを用いて接続することができるように構成されている。
【００３９】
次に、上述の実施の形態の動作について、図３に示すフローチャートに基づいて詳しく説明する。なお、特に、断らない限り、制御主体はＣＰＵ２１であるが、これをその都度参照するのは繁雑になるので、必要に応じて参照する。
【００４０】
そこで、まず、準備ステップとして、印刷物の仕様、例えば、総ノンブル数、印刷物を本としたときの用紙の大きさ、用紙の種類、画質等が与えられる（ステップＳ１１）。
【００４１】
そこで、オペレータはこの印刷物仕様に対応して本の属性を入力する（ステップＳ１２）。本の属性は、ディスプレイ３５上の図示はしていないがメニュー表示中、例えば、「新規ブック」を選択することで、本の属性のダイアログ（対話型選択画面）が開かれ、ディスプレイ３５の画面上に、「本の名称」、「総ノンブル数」、「開始ノンブル」、「中綴じ」等の本の綴じ方、「右開き」等の本の開き方、「Ａ４サイズ」等の仕上がりページサイズ等の属性入力用の画面が表示される。
【００４２】
このステップＳ１２で、例えば、本の名称を「ａａａ」、総ノンブル数を「１６」個、開始ノンブルを「１」に設定した後、画面上の実行ボタンをマウス３１で選択したとき、図４に概略的に示す画面（内容目次表、内容目次テーブルまたは内容表示表ともいう。）５１が現れる。この内容目次表５１には、本の名称欄に「ａａａ」が表示され、作成しようとする本用データのインデックス（目次）の表示欄５２には、ノンブルがノンブル１〜ノンブル１６まで表示され、他が空白である画面が表示される。なお、内容目次表５１中に本の名称もノンブルも表示されていない全ての欄が空白になっている画面を初期画面という。
【００４３】
ステップＳ１２の処理による本の属性の入力後、後に説明するステップＳ２１〜Ｓ２３の個別ページデータに係る処理と、ステップＳ３１〜Ｓ３３の面付けパターン様式に係る処理とを相互に独立に行うことができる、言い換えれば、時系列的にどちらの処理を先に行ってもよく、また、交互に少しずつ行ってもよいように構成されている。
【００４４】
この実施の形態では、個別ページデータに係る処理を先に実施するものとする。この場合、まず、個別ページ名データを作成する（ステップＳ２１）。個別ページ名データは、名称「ａａａ」の本の中では同じ名前を使用しないように決定する。
【００４５】
この実施の形態では、個別ページ名データとして「ｇｕａｍ１−１」、「ｇｕａｍ１−２」、「ｇｕａｍ１−３」、「ｇｕａｍ２−１」、「ｇｕａｍ２−２」、「ｂａｌｉ１−１」「ｂａｌｉ１−２」「ｂａｌｉ１−３」、「ｈａｗａｉｉ１−１」、「ｈａｗａｉｉ１−２」、…、「ｈａｗａｉｉ１−８」までの１６ページ分の個別ページ名を入力する。なお、「ｇｕａｍ１−１」等の各個別ページ名は、文書名を「ｇｕａｍ１」それに付随するページ番号を「１」として管理するようにしてもよい。
【００４６】
次に、入力した各個別ページ名に対応する各集版ページデータ、すなわち個別ページデータをワークステーション１２を使用して作成する（ステップＳ２２）。この集版データの作成処理は、周知の処理であるので、詳しく説明しないが、コンピュータ処理によりディスプレイ３５上でカラースキャナ１５等から取り込んだ各種画像を、台紙入力機１４から取り込んだ文字等が描かれている台紙画像上に貼り付け合成する処理である。この場合、個別ページデータは、各個別ページ名データをインデックスとして、これに、各集版データが結合されたデータとしてハードディスク２４上の所定の記憶エリアに記憶される。
【００４７】
次に、個別ページデータ、すなわち集版ページデータを本に対応する内容目次表５１中に表示されたノンブルに対して割り付ける（ステップＳ２３）。この場合、割り付ける順序は、例えば、データ入力順、すなわち、ハードディスク２４上の個別ページデータの記憶エリアに記憶された順序にしてもよく、この他、アルファベット順、あいうえお順、数字順、アスキーコード順等を選択して割り付けることができる。ここでは、図５の内容目次表（内容目次表、内容目次テーブルまたは内容表示表ともいう。）５３の画面表示に示すように、データ入力順に割り付けられるように割り付け順序が予め選択されているものとする。なお、個別ページデータの割り付けは、個別ページ名データの割り付けに過ぎないので、ステップＳ２２とステップＳ２３の処理を前後してもよいことはもちろんである。
【００４８】
次の準備ステップとして、ワークステーション１２のオペレータは、ステップＳ１１で与えられた印刷物の仕様、およびステップＳ１２で与えられた本の属性に適した印刷用の輪転機およびインキ、用紙、スクリーン線数等の印刷・製版条件を決定する（ステップＳ３１）。
【００４９】
次に、面付けパターン様式（面付けパターン様式データ）を作成し、または面付けパターン様式の作成に代えてハードディスク２４に記憶されている所望の面付けパターン様式を選択する（ステップＳ３２）。ここで、面付けパターン様式とは、従来の技術の項で説明した台ページＡと台ページＢとからなる２面付けパターンＸ（図９参照）と、台ページＡ′と台ページＢ′とからなる４面付けパターンＸ′（図１０参照）とにそれぞれ面付け用データを加入した様式を示すものである。
【００５０】
面付け用データは、画面上に表示された台紙上に折本（単に折りともいう。）が正しいページ順になるように個別ページパターンを割り付ける順番を規定するとともに、前記台紙上におけるトンボ、折り（ぺらか２折りか４折りか…３２折りか自由設定）、角トンボ、センタトンボ等の位置を含めたトンボ情報、作成日付け等の管理情報、台紙上に割り付けられた個別ページの出力方向（正体か９０度回転か）等を規定するパラメータとしてのデータであり、個別ページデータに結合される集版データを含まないこの発明に特徴的な構成のデータである。
【００５１】
次に、作成しもしくは選択した面付けパターン様式をノンブルに対して割り付ける（ステップＳ２３）。この場合、２面付けパターン様式の折りを二つと４面付けパターン様式の折りを一つをノンブル１〜ノンブル１６に割り付けるように入力する。これにより、図６に示すような、折りが三つである内容目次表（内容目次表、内容目次テーブルまたは内容表示表ともいう。）５４が完成（作成）する（ステップＳ４１）。この内容目次表５４を参照することで、これに付随する面付け用データおよび個別ページデータ（集版ページデータ）をＨＤ２４から引き出すことができるので、内容目次表５４が完成した場合、本用データ（印刷物用データ）が完成されたことになる。
【００５２】
この内容目次表５４から引き出される本用データによる画像、すなわち、面付けされた台ページ（図９または図１０に示した台ページ参照）の画像をディスプレイ３５の画面上で確認する。その後、本用データをゲラプリンタ１３またはフイルムプリンタ１６に供給することで、このゲラプリンタ１３またはフイルムプリンタ１６から台ページ毎の実際の画像が担持された集版済みのゲラプリントまたはフイルムを出力することが可能である。
【００５３】
このように上述の実施の形態によれば、面付けパターン様式という概念を導入し、この面付けパターン様式には、基本的は、個別ページの割り付け順序のみを入力するようにしている。そして、この面付けパターン様式データを加工せずに、このまま内容目次表５４中のノンブルを基準に単に割り付けるようにしている。このため、面付けパターン様式データのいわゆるフレキシビリティが高く（応用性が高く、利用性が高く）なり、トータルとしての作業効率が向上するという効果が達成される。
【００５４】
具体的には、作成した面付けパターン様式を他の折り、または他の出版物に流用することが可能である。従来の技術では、最終的なデータである本用データの段階では、面付けパターン様式という概念が無くなるのに対して、この発明では、本用データの段階でも面付けパターン様式として残るからである。なお、例えば、他の折りに流用するとは、図６の例で説明すれば、ノンブル９〜ノンブル１６に割り付けられている４面付けパターン様式を、ノンブル１〜ノンブル４に割り付けられている２面付けパターン様式をいわゆるコピーコマンドにより、ノンブル９とノンブル１３のパターン様式欄に割り付けることで、折り二つの２面付けパターン様式で代替することができることをいう。この流用処理では、個別ページ名の欄を全く考慮する必要がない。すなわち、パターン様式欄と個別ページ名欄とを独立に取り扱うことができる。
【００５５】
そして、ノンブルに対して個別ページ名の列と面付けパターン様式の列を独立に割り付けるようにしているので、例えば、個別ページ名の列を所望の順に並べ換えることも容易であるという効果が達成される。
【００５６】
具体的な例で説明すると、図６に示す例の内容目次表５４において、ノンブル１〜ノンブル８までの個別ページ名の「ｇｕａｍ１−１」〜「ｂａｌｉ１−３」までをマウス３１のドラッグ処理により色掛け（文字上を他の透明色でマスクする意）処理、または文字反転処理した後、画面上の「ソーティング」というボタンをマウス３１等により選択することにより、図７に示す内容目次表５５のように、色掛け表示したノンブル１〜ノンブル８までの個別ページ名の「ｇｕａｍ１−１」〜「ｂａｌｉ１−３」を、デフォルト順であるアルファベット順、数字順に、指定したノンブルに対応して自動的に並べ替えることができる。すなわち、他の本用データを瞬時にかつ自動的に、すなわち、簡易に作成することができる。もちろん、個別ページ名を、必要に応じて、コピーしたり、移動したりすることも簡単に行える。
【００５７】
なお、この発明は上述の実施の形態に限らずこの発明の要旨を逸脱することなく種々の構成を採り得ることはもちろんである。
【００５８】
【発明の効果】
以上説明したように、この発明によれば、面付けパターン様式データの作成等の工程と個別ページデータの作成工程とを相互に独立の工程としているので、それぞれのデータを個別に、例えば、他の折りまたは別の本に流用することができるという効果が達成される。
【００５９】
この場合、面付けパターン様式データにトンボ等の面付け用データが含まれるようにしているので、２回目以降の面付けパターンの作成作業においては、面付け用データを入力する必要がなくなり、データの入力作業が簡易になるという効果も達成される。結果として、いわゆる面付けパターンの作成作業が効率化されるという派生的な効果が達成される。
【００６０】
また、この発明によれば、個別ページデータと面付けパターンデータとが密接に結びついていないので、個別ページデータの配列順番を、並べ替えようとする複数の個別ページデータを選択するだけで、適切かつ容易に並べ替えることができるという効果が達成される。このため、例えば、印刷物の使用目的あるいは顧客の要求に応じた最適な配列に個別ページデータを容易に変更できるという利点も得られる。
【図面の簡単な説明】
【図１】この発明の一実施の形態が適用された構成例を示す線図である。
【図２】図１例中のワークステーションの詳細な構成を含むブロック図である。
【図３】図１例の動作説明に供されるフローチャートである。
【図４】本の名称とノンブルのみが指定された内容目次表を示す線図である。
【図５】個別ページ名も入力された内容目次表を示す線図である。
【図６】パターン様式も入力された内容目次表を示す線図である。
【図７】並べ替え処理の説明に供される線図である。
【図８】従来の技術の説明に供されるフローチャートである。
【図９】１枚の台紙上の個別ページが２頁である印刷物の面付けの説明に供される線図である。
【図１０】１枚の台紙上の個別ページが４頁である印刷物の面付けの説明に供される線図である。
【図１１】従来の技術による本用データの構成の説明に供される線図である。
【符号の説明】
１１  電子集版装置              １２  ワークステーション
１３  ゲラプリンタ              １４  台紙入力機
１５  カラースキャナ            １６  フイルムプリンタ
２１  ＣＰＵ                    ５１、５３、５４…内容目次表
【図１】
0004000200.tif 000002
【図２】
0004000200.tif 000003
【図３】
0004000200.tif 000004
【図４】
0004000200.tif 000005
【図５】
0004000200.tif 000006
【図６】
0004000200.tif 000007
【図７】
0004000200.tif 000008
【図８】
0004000200.tif 000009
【図９】
0004000200.tif 000010
【図１０】
0004000200.tif 000011
【図１１】
0004000200.tif 000012